(57)【要約】【課題】  遊技機に関わる情報を送信する技術において、優遇すべき利用者に、優遇されている気分を十分に抱かせることが可能な技術を提供する。【解決手段】  サーバ装置９の処理部９ａは、Ｗｅｂページ３１を携帯電話機１に送信すると、携帯電話機１から台番号の通知を受けるまで待機する（Ｓ２００〜２２０）。そして、台番号の通知を受けると、参照テーブルを参照し、通知された台番号の遊技機に対応づけられた設定値を取得し、取得した設定値を通知された台番号と共に、携帯電話機１の操作者に認識し難い音声で携帯電話機１に音声出力させる音声データに変換する（Ｓ２３０及びＳ２４０）。そして、この音声データを添付したり、遊技場の名称や台番号を挿入するなどして上述のＷｅｂページ４１を作成し、作成したＷｅｂページ４１を携帯電話機１へ送信する（Ｓ２５０及びＳ２６０）。【選択図】  図７
2005237797.tif 000002
【特許請求の範囲】
【請求項１】
外部装置と通信し、該外部装置から得た情報を提示することが可能な端末装置に、遊技機に関わる情報を示す遊技機データを、該端末装置の操作者に認識し難い態様で該端末装置に提示させる秘密データに変換し、送信する送信方法。
【請求項２】
外部装置と通信し、該外部装置から得た情報を提示することが可能な端末装置と、
遊技機に関わる情報を示す遊技機データを、前記端末装置の操作者に認識し難い態様で前記端末装置に提示させる秘密データに変換する変換手段を備え、該秘密データを前記端末装置に送信する送信装置と、
前記端末装置にて提示された提示情報を前記遊技機データに変換し、提示する提示装置と、
を備えることを特徴とする通信システム。
【請求項３】
前記端末装置は、外部操作により指定された遊技機を前記送信装置に通知する指定通知手段を備え、
前記送信装置は、前記指定通知手段により指定された前記遊技機の前記遊技機データを送信対象とすることを特徴とする請求項２記載の通信システム。
【請求項４】
当該通信システムは、
予め設定されたランクに分類して前記操作者を登録する登録装置を備え、
前記送信装置は、
前記遊技機データの送信先となる前記操作者を識別する送信先識別手段と、
前記登録装置における登録内容に基づいて、前記送信先識別手段により識別された前記操作者のランクを識別するランク識別手段と、
該ランク識別手段の識別結果に応じて、前記遊技機データにて前記操作者に示すべき情報を限定する情報限定手段と、
を備えることを特徴とする請求項２又は請求項３記載の通信システム。
【請求項５】
前記提示装置は、複数種類からなり、該提示装置の種類に応じて、変換可能な前記提示情報の内容が異なることを特徴とする請求項２乃至請求項４いずれか記載の通信システム。
【請求項６】
前記提示装置は、
前記端末装置にて提示された前記提示情報を取得する取得手段と、
該取得手段により取得された前記提示情報から前記遊技機データを解読する解読手段と、
該解読手段により解読された前記遊技機データを提示する提示手段と、
を備えることを特徴とする請求項２乃至請求項５いずれか記載の通信システム。
【請求項７】
前記端末装置は、音声を出力可能に構成され、
前記変換手段は、前記遊技機データを、前記操作者に認識し難い音声で前記端末装置に音声出力させる音声データからなる前記秘密データに変換し、
前記取得手段は、前記端末装置から出力される音声を取得し、
前記解読手段は、前記取得手段が取得した音声を解読することを特徴とする請求項６記載の通信システム。
【請求項８】
前記端末装置は、画像を表示可能に構成され、
前記変換手段は、前記遊技機データを、前記端末装置にバーコードとして表示させる画像データからなる前記秘密データに変換し、
前記取得手段は、前記端末装置による表示されるバーコードを読み取り、
前記解読手段は、前記取得手段が読み取ったバーコードを解読することを特徴とする請求項６記載の通信システム。
【請求項９】
前記提示手段は、画像、光源、音声、可動物体のうちの少なくとも１つを用いて前記遊技機データを提示することを特徴とする請求項２乃至請求項８いずれか記載の通信システム。
【請求項１０】
前記端末装置及び前記送信装置は、通信ネットワークを介して通信を行うように構成され、
該送信装置は、前記秘密データの送信に電子メールもしくはＷｅｂページを用いることを特徴とする請求項２乃至請求項９いずれか記載の通信システム。
【請求項１１】
前記端末装置は、携帯可能に構成されていることを特徴とする請求項２乃至請求項１０いずれか記載の通信システム。
【請求項１２】
外部装置と通信し、該外部装置から得た情報を提示することが可能な携帯型端末装置に付属させる付属品であって、
請求項１１記載の通信システムにおける提示装置を備えることを特徴とする付属品。
【請求項１３】
請求項１１記載の通信システムにおける提示装置を備えることを特徴とする遊技設備。
【発明の詳細な説明】
【技術分野】
【０００１】
本発明は、遊技機に関わる情報を送信する技術に関する。
【背景技術】
【０００２】
近年、電子メールを用いて、遊技場で開催するイベント（例えば、新台入替など）などの情報を遊技場に登録された利用者に提供するサービスが多くの遊技場で実施されている。そして、これに関連して、本出願人は、電子メールを用いて、遊技場に設置された遊技機（パチンコ遊技機やスロット遊技機）の稼働状態などを示す遊技情報を遊技場に登録された利用者に提供する遊技場情報提供システムを提案している（特許文献１参照。）。
【０００３】
この遊技場情報提供システムでは、各遊技機の遊技情報を記憶し、管理する各遊技機の台間ユニットがそれぞれ遊技情報を記載した電子メールを作成し、これを遊技場に登録された全ての利用者の電子メールアドレスに送信することにより、遊技場に登録された全ての利用者に遊技情報を提供する。この遊技場情報提供システムによれば、遊技場に登録された全ての利用者は、各台間ユニットからそれぞれ受信した電子メールを閲覧するだけで、各遊技機の遊技情報を入手できるため、遊技を行う前日などにわざわざ遊技場に来場して各遊技機の遊技情報を確認せずとも、どの遊技機にて遊技を行うべきかを判断することができるのである。
【特許文献１】特開２００２−３３６５２９号公報（段落［００２１］〜［００８１］、図１，図５（ａ），図５（ｂ），図１４）
【発明の開示】
【発明が解決しようとする課題】
【０００４】
しかしながら、上述の遊技場情報提供システムでは、遊技場を頻繁に利用する優遇すべき利用者と、それ以外の利用者とを差別することなく、上述のように、遊技場に登録された全ての利用者に各遊技機の遊技情報を提供していたため、優遇すべき利用者に損をしている気分を抱かせ、遊技場を利用する意欲を低減させてしまうことが考えられる。
【０００５】
ここで、これを解決するために、優遇すべき利用者にのみ遊技情報を提供するように台間ユニットを設定することが考えられるが、それだけでは、遊技情報の提供を受けた利用者自身が、他の利用者よりも優遇されていることを十分に実感できないことが考えられる。
【０００６】
そこで、本発明は、遊技機に関わる情報を送信する技術において、優遇すべき利用者に、優遇されている気分を十分に抱かせることが可能な技術を提供することを目的とする。
【課題を解決するための手段】
【０００７】
上記目的を達成するためになされた発明である請求項１記載の送信方法では、外部装置と通信し、該外部装置から得た情報を提示することが可能な端末装置に、遊技機に関わる情報を示す遊技機データを、該端末装置の操作者に認識し難い態様で該端末装置に提示させる秘密データに変換し、送信する。
【０００８】
この送信方法によれば、秘密データを受信した端末装置は、端末装置の操作者に認識し難い態様の情報を提示するため、端末装置に提示された提示情報を遊技機データに変換する変換方法を知る操作者や、変換するための装置を所有する操作者にのみ遊技機データを提示できる。
【０００９】
つまり、優遇すべき利用者である操作者にのみ、変換方法を予め通知しておいたり、変換する装置を予め提供しておけば、優遇すべき利用者にのみ遊技機データを提示することができる。
【００１０】
即ち、本発明によれば、優遇すべき利用者に、他の利用者が知ることが困難な遊技機データを知ることができたという気分を抱かせることができ、ひいては、優遇されている気分を十分に抱かせることができる。
【００１１】
次に、請求項１記載の発明と同様に、上記目的を達成するためになされた発明である請求項２記載の発明である通信システムは、外部装置と通信し、該外部装置から得た情報を提示することが可能な端末装置と、遊技機に関わる情報を示す遊技機データを、端末装置の操作者に認識し難い態様で端末装置に提示させる秘密データに変換する変換手段を備え、該秘密データを端末装置に送信する送信装置と、端末装置にて提示された提示情報を遊技機データに変換し、提示する提示装置とを備えることを特徴とする。
【００１２】
この通信システムでは、送信装置が、当該送信装置の変換手段にて、遊技機データを、端末装置の操作者に認識し難い態様で端末装置に提示させる秘密データに変換し、該秘密データを端末装置に送信する。そして、この秘密データを受信した端末装置が、当該端末装置の操作者に認識し難い態様の情報を提示し、提示装置が、端末装置にて提示された提示情報を遊技機データに変換し、提示する。
【００１３】
つまり、この通信システムによれば、提示装置を所有する操作者にのみ遊技機データを提示できるため、優遇すべき利用者である操作者にのみ提示装置を予め提供しておけば、優遇すべき利用者にのみ遊技機データを提示することができる。即ち、請求項１記載の発明と同様の効果を得ることができる。
【００１４】
尚、送信装置は、１つの遊技機の遊技機データを送信しても良いし、複数の遊技機の遊技機データを送信しても良い。
ここで、請求項３記載のように、端末装置には、外部操作により指定された遊技機を送信装置に通知する指定通知手段を備え、該指定通知手段により指定された遊技機の遊技機データを送信対象とするように送信装置を設定することが望ましい。
【００１５】
この場合、端末装置の操作者は、入手したい遊技機の遊技機データを送信装置に通知し、その遊技機データを取得することができる。
又、請求項４記載のように、通信システムには、予め設定されたランクに分類して操作者を登録する登録装置を備え、送信装置には、遊技機データの送信先となる操作者を識別する送信先識別手段と、登録装置における登録内容に基づいて、送信先識別手段により識別された操作者のランクを識別するランク識別手段と、該ランク識別手段の識別結果に応じて、遊技機データにて操作者に示すべき情報を限定する情報限定手段とを備えると良い。
【００１６】
このように構成された通信システムでは、送信装置は、その送信先識別手段が、遊技機データの送信先となる操作者を識別すると、そのランク識別手段が、登録装置における登録内容に基づいて、送信先識別手段により識別された操作者のランクを識別し、その情報限定手段が、ランク識別手段の識別結果に応じて、遊技機データにて操作者に示すべき情報を限定する。
【００１７】
つまり、この通信システムによれば、操作者である利用者をそれぞれ優遇すべきランクに分類して予め登録装置に登録しておけば、優遇すべきランクに応じて、遊技機データにて示すべき情報を限定できる。即ち、優遇すべき程度を利用者に応じて細かく設定できる。
【００１８】
又、請求項５記載のように、提示装置は、複数種類からなり、該提示装置の種類に応じて、変換可能な提示情報の内容が異なっていると良い。
この場合、提示装置の種類毎に遊技機データにて利用者に示すことができる情報が異なるため、上述のように、優遇すべきランクに応じて、提供する提示装置の種類を異ならせれば、遊技機データにて利用者に示すべき情報を送信装置側で限定しなくても、遊技機データにて示すべき情報を利用者に応じて限定できる。
【００１９】
ところで、提示装置は、例えば、請求項６記載のように、端末装置にて提示された提示情報を取得する取得手段と、該取得手段により取得された提示情報から遊技機データを解読する解読手段と、該解読手段により解読された遊技機データを提示する提示手段とを備えれば良い。
【００２０】
このように構成された提示装置では、取得手段が、提示情報を取得し、解読手段が、取得手段により取得された提示情報を解読し、提示手段が、解読手段により解読された遊技機データを提示するというプロセスを経ることで、提示情報を遊技機データに変換し、提示することができる。
【００２１】
ここで、請求項７記載のように、端末装置は、音声を出力可能に構成され、送信装置の変換手段は、遊技機データを、操作者に認識し難い音声で端末装置に音声出力させる音声データからなる秘密データに変換し、提示装置の取得手段は、端末装置から出力される音声を取得し、提示装置の解読手段は、取得手段が取得した音声を解読するように構成されていると良い。
【００２２】
この場合、送信装置が、遊技機データを、操作者に認識し難い音声で端末装置に音声出力させる音声データからなる秘密データに変換し、これを受けた端末装置が、操作者に認識し難い音声を出力し、提示装置が、端末装置から音声で提示される提示情報を遊技機データに変換し、提示する。
【００２３】
つまり、本発明によれば、操作者にとって認識し難い音声からなる提示情報が操作者に提示される一方で、提示装置を提供された操作者のみ、その提示情報を遊技機データに変換できる。
【００２４】
尚、「操作者に認識し難い音声」とは、例えば、操作者が聞いても内容を認識し難い音声や、可聴音域外の周波数からなり、操作者に聞き取り難い音声などが該当する。
又、請求項８記載のように、端末装置は、画像を表示可能に構成され、送信装置の変換手段は、遊技機データを、端末装置にバーコードとして表示させる画像データからなる秘密データに変換し、提示装置の取得手段は、端末装置による表示されるバーコードを読み取り、提示装置の解読手段は、取得手段が読み取ったバーコードを解読するように構成されていると良い。
【００２５】
この場合、送信装置が、遊技機データを、端末装置にバーコードとして表示させる画像データからなる秘密データに変換し、これを受けた端末装置が、バーコードを表示し、提示装置が、端末装置に表示されるバーコードを遊技機データに変換し、提示する。
【００２６】
つまり、本発明によれば、操作者にとって認識し難いバーコードからなる提示情報が操作者に提示される一方で、提示装置を提供された操作者のみ、その提示情報を遊技機データに変換できる。
【００２７】
ここで、提示装置の提示手段は、例えば、請求項９記載のように、画像、光源、音声、可動物体のうちの少なくとも１つを用いて遊技機データを提示するように構成されていると良い。
【００２８】
即ち、これらを用いることにより、操作者に認識可能な態様で遊技機データを操作者に提示できる。
尚、画像を用いる場合には、遊技機データ自体を画像表示することで遊技機データを提示しても良いし、遊技機データに応じた画像を表示することで遊技機データを提示しても良い。又、光源を用いる場合には、遊技機データに応じた点灯パターンや点灯色、輝度で光源を点灯することで遊技機データを提示すれば良い。尚、ここでいう「点灯」には「点滅」も含む。
【００２９】
又、音声を用いる場合には、遊技機データ自体を音声出力することで遊技機データを提示しても良いし、遊技機データに応じた音声を出力することで遊技機データを提示しても良い。そして、可動物体を用いる場合には、遊技機データに応じた動作パターンにて可動物体を動作させることで遊技機データを提示すれば良い。
【００３０】
又、端末装置及び送信装置が、通信ネットワークを用いて通信を行うように構成されている場合には、請求項１０記載のように、送信装置は、秘密データの送信に電子メールもしくはＷｅｂページを用いれば良い。
【００３１】
この場合、送信装置、電子メールやＷｅｂページに添付する形で容易に秘密データを送信することができる。
尚、通信ネットワークとして、例えば、インターネットを用いれば、端末装置を送信装置から遠隔配置しても、端末装置は、秘密データを受信することができる。これにより、提示装置を提供された操作者は、遊技機データを遠隔地でも入手できる。
【００３２】
又、請求項１１記載のように、端末装置は、携帯可能に構成されていることが望ましい。即ち、操作者は、端末装置を携帯できるため、様々な場所で秘密データを受信することができる。
【００３３】
次に、請求項１２記載の発明は、外部装置と通信し、該外部装置から得た情報を提示することが可能な携帯型端末装置に付属させる付属品であって、請求項１１記載の通信システムにおける提示装置を備えることを特徴とする。
【００３４】
この付属品によれば、携帯型端末装置の操作者である利用者は、携帯型端末装置と提示装置とを一緒に所持することができ、携帯型端末装置が秘密データを受信した際に、携帯型端末装置の提示情報を即座に遊技機データに変換できる。
【００３５】
次に、請求項１３記載の発明である遊技設備は、請求項１１記載の通信システムにおける提示装置を備えることを特徴とする。
このように遊技設備が構成されていれば、利用者は、携帯可能に構成された端末装置を持って遊技場に来場すれば、各遊技機の状態と、各遊技機の遊技機データとを照らし合わせながら遊技に使用する遊技機を選定することができるため、利用者を遊技場に来場させる集客効果を発揮する。
【００３６】
尚、本発明では、通信システムの方で、予め利用者をそれぞれ優遇すべきランクに分類しておき、利用者のランクに応じて、遊技機データにて示すべき情報を限定しておけば、全ての利用者を同様に優遇してしまうことなく、優遇すべきランクに応じて利用者を優遇できる。
【発明を実施するための最良の形態】
【００３７】
以下に本発明の実施形態を図面と共に説明する。
まず、図１は、本発明に係る携帯電話機１の平面図である。
図１に示すように、携帯電話機１は、当該携帯電話機１の筐体１１に、電波を送受信するためのアンテナ１３と、画像を表示するためのディスプレイ１５と、電話番号の入力や電子メールにおける文字や記号の入力、当該携帯電話機１の操作などに用いる複数の押しボタン１７とが設けられている。つまり、携帯電話機１は、周知の携帯電話機と同様に構成されている。
【００３８】
そして、携帯電話機１には、ストラップ３を介して、本発明に係るマスコット５が付属品として取り付けられている。
ここで、図２は、上述のマスコット５の平面図である。
【００３９】
図２に示すように、マスコット５は、樹脂をオバケのキャラクタに模して成形してなる本体５１を備える。
そして、この本体５１の上端部には、ストラップ３を取り付けるための取付部５３が形成され、又、この取付部５３の下部付近には、外部の音声を本体５１の内部に取り込むための複数の溝からなる音声取込部５５が形成されている。
【００４０】
又、本体５１の中央部付近には、オバケの目を模して、円形からなる１対の孔５７が形成されている。尚、本実施形態では、これら孔５７のうち、図中右側に位置する孔５７を右目５７ａ、図中左側に位置する孔５７を左目５７ｂとする。
【００４１】
次に、図３は、本発明に係る通信システム２１の構成ブロック図である。
図３に示すように、通信システム２１は、上述の携帯電話機１と、上述のマスコット５と、遊技場に設置された遊技機（パチンコ遊技機やスロット遊技機）に関する情報を示す遊技機データを提供するサーバ装置９とから構成されている。
【００４２】
ここで、携帯電話機１は、上述のアンテナ１３を介して電波を送受信する送受信部１ａと、ディスプレイ１５に画像を表示する表示部１ｂと、当該携帯電話機１の各部を統括制御する制御部１ｃと、押しボタン１７が押下されたことを検出する入力部１ｄと、外部の音声（例えば、通話時の声など）を取得するマイク１ｅと、外部に音声を出力するスピーカ１ｆとを上述の筐体１１に内蔵する。
【００４３】
尚、携帯電話機１は、周知の携帯電話機と同様に、ＣＰＵ、ＲＯＭ、ＲＡＭ、Ｉ／Ｏ、各種ＡＳＩＣ、各種回路素子などを備え、これらによって上述の送受信部１ａ、表示部１ｂ、制御部１ｃ、入力部１ｄが実現されている。
【００４４】
又、制御部１ｃには、当該携帯電話機１にて操作者がインターネット２３にアクセスし、Ｗｅｂページを閲覧可能に当該携帯電話機１を機能させるためのプログラム（ブラウザソフトウェア）が設定されている。
【００４５】
又、マスコット５は、音声取込部５５を介して外部の音声を取得するマイク５ａと、マイク５ａにて取得された音声を処理する処理部５ｂと、当該マスコット５の右目５７ａを点灯するための光源であるＬＥＤ５ｃと、当該マスコット５の左目５７ｂを点灯するための光源であるＬＥＤ５ｄとを上述の本体５１に内蔵する。
【００４６】
尚、マスコット５は、ＣＰＵ、ＲＯＭ、ＲＡＭ、Ｉ／Ｏ、各種ＡＳＩＣ、各種回路素子などを備え、これらによって上述の処理部５ｂが実現されている。
又、サーバ装置９は、画像を表示するディスプレイ９１と、当該サーバ装置９の本体９３と、遊技場側が当該サーバ装置９に各種データを入力するための入力装置（例えば、キーボードやマウスなど）９５とを備える。
【００４７】
そして、本体９３は、当該サーバ装置９が実行すべき各種処理を実行する処理部９ａと、各種データを記録する記録部９ｂとを備える。
尚、本体９３は、周知のサーバ装置と同様に、ＣＰＵ、ＲＯＭ、ＲＡＭ、Ｉ／Ｏ、各種ＡＳＩＣ、各種回路素子、ハードディスクなどを備え、これらによって上述の処理部９ａ及び記録部９ｂが実現されている。
【００４８】
ここで、本体９３において、記録部９ｂには、当該サーバ装置９がインターネット２３を介して提供する各種Ｗｅｂページの他に、遊技場に設置された各遊技機を識別するための識別番号である台番号と、各遊技機の遊技機データとを対応づけた参照テーブルが予め記録されている。尚、本実施形態の参照テーブルは、表１に示すように設定されている。
【００４９】
【表１】
2005237797.tif 000003
【００５０】
即ち、表１に示すように、本実施形態の参照テーブルには、各遊技機の台番号に対応づけて、遊技場側が各遊技機に施した設定を示す設定値（本実施形態では、１〜６）が遊技機データとして記録されている。
【００５１】
そして、これら設置値のうち、設定値２は、遊技機に特別な設定を施していないことを示す。又、設定値１，５，６は、遊技機を所謂「過激台」に設定したことを示す。即ち、設定値が１である場合には、遊技者が利益を得ることが非常に難しくなるような設定を遊技機に施したことを示す。又、設定値が５である場合には、遊技者が大きな利益を得ることが容易となるような設定を遊技機に施したことを示す。又、設定値が６である場合には、遊技者が大きな利益を得ることが、設定値が５である遊技機よりも更に容易となるような設定を遊技機に施したことを示す。
【００５２】
又、設定値３，４は、遊技機を所謂「優良台」に設定したことを示す。即ち、設定値が３である場合には、遊技者が一定の利益を得ながら長時間遊技に興じることができるような設定を遊技機に施したことを示す。又、設定値が４である場合には、遊技者が一定の利益を得ながら長時間遊技に興じることが、設定値が３である遊技機よりも容易となるような設定を遊技機に施したことを示す。
【００５３】
一方、処理部９ａには、記録部９ｂに記録された各種Ｗｅｂページをインターネット２３を介して提供可能なサーバ装置として当該サーバ装置９を機能させるためのプログラム（サーバソフトウェア）が設定されている。更に、処理部９ａは、動的にＷｅｂページを作成可能に設定されている（つまり、ＡＳＰ（Active  Server  Pages）機能などが設定されている。）。
【００５４】
ここで、図４は、サーバ装置９が携帯電話機１に送信するＷｅｂページ３１，４１の概要を示す説明図である。
まず、図４（ａ）に示すように、Ｗｅｂページ３１には、各遊技機の台番号が、上述の設定値を提示するＷｅｂページ４１へのリンクとして、各遊技機の機種名と共に羅列表示される。更に、Ｗｅｂページ３１には、携帯電話機１の操作者がこれら台番号を選択できるように、操作者によって操作可能なカーソル３３が表示される。尚、このＷｅｂページ３１は、遊技場側によって予め作成され、記録部９ｂに記録されるＷｅｂページである。
【００５５】
次に、図４（ｂ）に示すように、Ｗｅｂページ４１には、遊技場の名称や遊技機の台番号が「○○ホール×××番台マル秘情報」という形態で表示される。尚、このＷｅｂページ４１は、処理部９ａが実行する後述の応答処理にて動的に作成されるＷｅｂページである。
【００５６】
以下、携帯電話機１の制御部１ｃ、マスコット５の処理部５ｂ、サーバ装置９の処理部９ａが実行する各種処理のうち、本発明に係る処理について説明する。
まず、図５は、制御部１ｃが実行する遊技機指定処理の流れを示すフローチャートである。尚、本処理は、制御部１ｃが操作者の操作に応じてサーバ装置９へアクセスし、サーバ装置９から上述のＷｅｂページ３１を受信した際に起動される（つまり、本処理のプログラムは、Ｗｅｂページ３１のプログラムに組み込まれている。）。
【００５７】
図５に示すように、本処理が起動されると、制御部１ｃは、まず、受信したＷｅｂページ３１を表示部１ｂを介してディスプレイ１５に表示したのち（Ｓ１０）、操作者によって、台番号が指定されるまで待機する（Ｓ２０）。そして、操作者が押しボタン１７を操作し、所望の遊技機の台番号にカーソル３３を合わせるなどして、遊技機の台番号が指定されると（Ｙｅｓ：Ｓ２０）、指定された台番号をサーバ装置９に通知し（Ｓ３０）、本処理を終了する。
【００５８】
次に、図６は、制御部１ｃが実行する情報受信処理の流れを示すフローチャートである。尚、本処理は、制御部１ｃがサーバ装置９から上述のＷｅｂページ４１を受信した際に起動される（つまり、本処理のプログラムは、Ｗｅｂページ４１のプログラムに組み込まれている。）。
【００５９】
図６に示すように、本処理が起動されると、制御部１ｃは、まず、受信したＷｅｂページ４１を表示部１ｂを介してディスプレイ１５に表示する（Ｓ１００）。そして、これ以降、操作者の操作に応じてＷｅｂページ４１をディスプレイ１５上から消去するまで、Ｗｅｂページ４１に添付された後述の音声データに従ったメロディをスピーカ１ｆを介して外部に繰り返し出力する（Ｓ１１０）。
【００６０】
次に、図７は、サーバ装置９の処理部９ａが実行する応答処理の流れを示すフローチャートである。尚、本処理は、処理部９ａが携帯電話機１からアクセスされた際に起動される。
【００６１】
図７に示すように、本処理が起動されると、処理部９ａは、まず、記録部９ｂからＷｅｂページ３１を取得すると共に（Ｓ２００）、取得したＷｅｂページ３１を携帯電話機１に送信し（Ｓ２１０）、携帯電話機１から台番号の通知を受けるまで待機する（Ｓ２２０）。そして、台番号の通知を受けると（Ｙｅｓ：Ｓ２２０）、上述の参照テーブルを参照し、通知された台番号の遊技機に対応づけられた設定値を取得する（Ｓ２３０）。
【００６２】
続いて、処理部９ａは、通知された台番号及び取得した設定値を、携帯電話機１の操作者に認識し難い音声で携帯電話機１に音声出力させる音声データに変換する（Ｓ２４０）。尚、この際、本実施形態の処理部９ａは、これら台番号及び設定値を、これら台番号及び設定値に基づいて変調したメロディの音声データに変換する。
【００６３】
そして、処理部９ａは、この音声データを添付したり、遊技場の名称や台番号を挿入するなどして上述のＷｅｂページ４１を作成し（Ｓ２５０）、作成したＷｅｂページ４１を携帯電話機１へ送信して（Ｓ２６０）、本処理を終了する。
【００６４】
次に、図８は、マスコット５の処理部５ｂが実行する変換処理の流れを示すフローチャートである。尚、本処理は、処理部５ｂが、マイク５ａを介して、携帯電話機１から出力されるメロディを受信した際に起動される。
【００６５】
図８に示すように、本処理が起動されると、処理部５ｂは、まず、受信したメロディをサンプリングし（Ｓ３００）、サンプリングしたメロディから台番号及び設定値を解読する（Ｓ３１０）。尚、本実施形態の処理部５ｂは、サンプリングしたメロディに施された変調状態に基づいて、台番号及び設定値を解読する。但し、本実施形態のマスコット５は複数種類からなり、マスコット５の種類に応じて、解読可能な設定値が異なっている。
【００６６】
そして、解読した台番号及び設定値に応じて、ＬＥＤ５ｃ，５ｄを点滅させる点滅処理を実行し（Ｓ３２０）、本処理を終了する。尚、この点滅処理では、処理部５ｂは、まず、解読した台番号に応じて、ＬＥＤ５ｄを点滅させる（例えば、台番号が「１２３」である場合には、ＬＥＤ５ｄを、１回、２回、３回と点滅させる。）。続いて、解読した設定値に応じて、ＬＥＤ５ｃを点滅させる（例えば、設定値が「１」である場合には、ＬＥＤ５ｃを１回だけ点滅させる。）。但し、設定値が解読不能な場合には、ＬＥＤ５ｃを一切点滅しない。
【００６７】
以上のように構成された本実施形態の通信システム２１では、図９のシーケンス図に示すように、携帯電話機１がサーバ装置９にアクセスすると（Ｓ４００）、サーバ装置９が、Ｗｅｂページ３１を携帯電話機１に送信する（Ｓ４１０）。続いて、携帯電話機１の操作者が台番号を指定し、携帯電話機１がこの台番号をサーバ装置９に通知すると（Ｓ４２０）、サーバ装置９が、指定された台番号の遊技機の設定値を取得し、この設定値を台番号と共に音声データに変換して、Ｗｅｂページ４１に添付し、Ｗｅｂページ４１を携帯電話機１に送信する（Ｓ４３０）。そして、携帯電話機１が、このＷｅｂページを受信すると、Ｗｅｂページ４１を表示しながら、Ｗｅｂページ４１に添付された音声データに従ったメロディを出力し（Ｓ４４０）、これを受信したマスコット５が、台番号及び設定値に変換し、これに応じて当該マスコット５の左目５７ｂ及び右目５７ａを点滅させて、台番号及び設定値を提示する。
【００６８】
以上から、本実施形態の通信システム２１によれば、携帯電話機１にて、台番号及び設定値に基づいて変調されたメロディが提示されるため、携帯電話機１の操作者がメロディを聞いても設定値を認識し難く、マスコット５を所有している操作者のみ、そのメロディを設定値に変換できる。
【００６９】
つまり、優遇すべき利用者である操作者にマスコット５を予め提供しておけば、優遇すべき利用者にのみ遊技機の設定値を提示することができる。
即ち、本実施形態の通信システム２１によれば、優遇すべき利用者に、他の利用者が知ることが困難な遊技機の設定値を知ることができたという気分を抱かせることができ、ひいては、優遇されている気分を十分に抱かせることができる。
【００７０】
又、本実施形態の通信システム２１では、Ｗｅｂページ３１にて、操作者が遊技機の台番号を指定でき、又、サーバ装置９がこれに応じた設定値を送信するため、操作者は、入手したい遊技機の設定値を取得することができる。
【００７１】
又、本実施形態の通信システム２１では、携帯電話機１及びサーバ装置９がインターネット２３を介して通信を行うため、携帯電話機１の操作者は、遊技機の設定値をサーバ装置９から離れた遠隔地でも入手できる。
【００７２】
又、本実施形態の通信システム２１では、携帯電話機１にて遊技機の設定値を受信するため、様々な場所で遊技機の設定値を受信できる。
又、本実施形態の通信システム２１では、サーバ装置９は、音声データをＷｅｂページ４１に添付するだけで、容易に音声データを送信できる。
【００７３】
又、本実施形態の通信システム２１では、マスコット５の種類に応じて、解読可能な設定値が異なっているため、携帯電話機１の操作者をそれぞれ優遇すべきランクに分類し、優遇すべきランクに応じて、種類の異なるマスコット５を提供すれば、優遇すべき程度を操作者に応じて細かく設定できる。例えば、最も優遇すべき操作者には、解読可能な設定値の限定のない種類のマスコット５を提供し、それ以外の操作者には、解読可能な設定値が限定された種類のマスコット５を提供すれば良い。
【００７４】
又、この場合、サーバ装置９側にて携帯電話機１の操作者をそれぞれ優遇すべきランクに分類し、優遇すべきランクに応じて、操作者に示すことができる設定値を限定する必要がなく、全ての操作者に対して同一のＷｅｂページ４１を送信すれば良いため、サーバ装置９側で実行すべき処理の負荷をその分低減できる。
【００７５】
又、本実施形態の通信システム２１では、マスコット５が携帯電話機１の付属品として構成されているため、携帯電話機１のアクセサリとして、携帯電話機１と共にマスコット５を所持することができ、携帯電話機１がＷｅｂページ４１を受信した際に、メロディーを即座に遊技機の設定値に変換できる。
【００７６】
尚、本実施形態では、携帯電話機１が本発明における端末装置に相当し、サーバ装置９が本発明における外部装置及び送信装置に相当し、マスコット５が本発明における提示装置に相当する。そして、サーバ装置９の処理部９ａが応答処理にて生成する音声データが本発明における秘密データに相当し、携帯電話機１が出力するメロディが本発明における提示情報に相当する。
【００７７】
又、本実施形態では、サーバ装置９の処理部９ａが実行する応答処理のＳ２４０が本発明における変換手段に相当し、携帯電話機１の制御部１ｃが実行する遊技機指定処理のＳ３０が本発明における指定通知手段に相当する。
【００７８】
又、本実施形態では、マスコット５のマイク５ａ及びマスコット５の処理部５ｂが実行する変換処理のＳ３００が本発明における取得手段に相当し、Ｓ３１０が本発明における解読手段に相当し、Ｓ３２０及びＬＥＤ５ｃ、５ｄが本発明における提示手段に相当する。
【００７９】
以上、本発明の実施の形態について説明したが、本発明は、上記実施形態に何ら限定されることはなく、本発明の技術的範囲に属する限り種々の形態をとり得ることはいうまでもない。
【００８０】
例えば、上記実施形態では、サーバ装置９は、１つの遊技機の設定値を送信していたが、携帯電話機１の操作者に複数の台番号を指定させ、複数の遊技機の設定値を送信しても良い。
【００８１】
又、上記実施形態では、マスコット５の左目５７ｂ、右目５７ａを点滅させることにより遊技機の設定値を提示したが、マスコット５に画像を表示する表示装置（例えば、液晶ディスプレイなど）を設け、これらに設定値を表示することにより、設定値を提示しても良い。又、マスコット５に音声を出力する音声出力装置（例えば、スピーカなど）を設け、設定値を音声出力することにより、設定値を提示しても良い。又、マスコット５に可動物体を設け、これを設定値に応じて動作させることにより、設定値を提示しても良い。尚、この場合、マスコット５自体を動作可能に構成し、マスコット５自体を動作させても良い。
【００８２】
又、上記実施形態では、設定値に応じてマスコット５の左目５７ｂ、右目５７ａの点滅させて、設定値を提示していたが、設定値に応じた点灯色や輝度で左目５７ｂ、右目５７ａを点灯もしくは点滅させることにより、設定値を提示しても良い。
【００８３】
又、上記実施形態では、サーバ装置９は、Ｗｅｂページ４１を用いて音声データを携帯電話機１に送信したが、電子メールを用いて送信しても良い。
又、上記実施形態では、サーバ装置９は、台番号及び設定値を、これら台番号及び設定値に基づいて変調したメロディの音声データに変換したが、可聴音域外の周波数からなり、操作者に聞き取りにくい音声を携帯電話機１に出力させる音声データに変換しても良い。又、携帯電話機１にバーコードとして表示させる画像データに変換しても良い。但し、この場合、マスコット５にＣＣＤカメラなどを設け、バーコードの読み取り及び解読を可能に構成すれば良い。尚、この場合、サーバ装置９が本発明における変換手段に相当し、画像データが本発明における秘密データに相当し、マスコット５が本発明における取得手段及び解読手段に相当する。
【００８４】
又、上記実施形態では、マスコット５によって解読可能な設定値が予め限定されていたが、マスコット５にて限定せずとも同様の効果を得ることができるように、通信システム２１を以下のように構成しても良い。
【００８５】
即ち、操作者を優先すべきランクに分類して登録する登録装置を通信システム２１に備え、サーバ装置９には、台番号の通知から遊技機の設定値の送信先の操作者（つまり、台番号の通知元）を識別させると共に、登録装置における登録内容に基づいて、送信先の操作者のランクを識別させ、それに応じて、操作者に示すべき遊技機の設定値を限定させれば良い。尚、この場合、通信システム２１の登録装置が本発明における登録装置に相当し、サーバ装置９が本発明における送信先識別手段と、ランク識別手段と、情報限定手段とに相当する。
【００８６】
又、上記実施形態では、マスコット５を用いて携帯電話機１から出力されるメロディを遊技機の設定値に変換したが、メロディを遊技機の設定値に変換し、提示する提示装置を遊技機や、遊技機を設置する遊技機島、遊技場の係員を呼び出すための呼出ランプ、遊技機毎に遊技機島に設置され、遊技者に遊技媒体の貸出を行う台間玉貸機、遊技機の稼働情報などを表示するデータ表示装置などといった遊技場に設置される遊技設備に具備しても良い。この場合、遊技場の利用者は携帯電話機１を持って遊技場に来場すれば、各遊技機の状態と、各遊技機の設定とを照らし合わせながら遊技に使用する遊技機を選定できるため、利用者を遊技場に来場させる集客効果を発揮する。
【図面の簡単な説明】
【００８７】
【図１】本発明に係る携帯電話機１の平面図である。
【図２】本発明に係るマスコット５の平面図である。
【図３】本発明に係る通信システム２１の構成ブロック図である。
【図４】サーバ装置９が携帯電話機１に送信するＷｅｂページ３１，４１の概要を示す説明図である。
【図５】携帯電話機１の制御部１ｃが実行する遊技機指定処理の流れを示すフローチャートである。
【図６】携帯電話機１の制御部１ｃが実行する情報受信処理の流れを示すフローチャートである。
【図７】サーバ装置９の処理部９ａが実行する応答処理の流れを示すフローチャートである。
【図８】マスコット５の処理部５ｂが実行する変換処理の流れを示すフローチャートである。
【図９】通信システム２１における処理の流れを示すシーケンス図である。
【符号の説明】
【００８８】
１…携帯電話機、１ａ…送受信部、１ｂ…表示部、１ｃ…制御部、１ｄ…入力部、１ｅ，５ａ…マイク、１ｆ…スピーカ、３…ストラップ、５…マスコット、５ｂ，９ａ…処理部、５ｃ，５ｄ…ＬＥＤ、９…サーバ装置、９ｂ…記録部、１１…筐体、１３…アンテナ、１５，９１…ディスプレイ、１７…押しボタン、２１…通信システム、２３…インターネット、３１，４１…Ｗｅｂページ、３３…カーソル、５１，９３…本体、５３…取付部、５５…音声取込部、５７…孔、５７ａ…右目、５７ｂ…左目、９５…入力装置。
【図１】
2005237797.tif 000004
【図２】
2005237797.tif 000005
【図３】
2005237797.tif 000006
【図４】
2005237797.tif 000007
【図５】
2005237797.tif 000008
【図６】
2005237797.tif 000009
【図７】
2005237797.tif 000010
【図８】
2005237797.tif 000011
【図９】
2005237797.tif 000012